(57)【特許請求の範囲】
【請求項１】
「緯度」及び「経度」を設定地に関する座標情報として使用するナビゲーション装置であって、「緯度」及び「経度」の少なくとも「度」及び「分」の値を数字で表示するための意匠を有する表示装置と、この表示装置の前記意匠を用いて前記値を設定する入力装置と、前記設定地に関する前記座標情報を記憶する記憶装置と、前記入力装置の操作により前記表示装置の前記意匠の「度」の表示が所定の値に確定された場合に前記表示装置の前記意匠の「分」の表示が予め定めた値へ自動的に変化して前記入力装置により前記表示装置の前記意匠の「度」の表示が前記所定の値に確定されると前記表示装置の前記意匠の「分」の表示が前記予め定めた値で確定して前記各値を前記設定地に関する前記座標情報として前記記憶装置に記憶させる制御装置と、を有することを特徴とするナビゲーション装置。
【請求項２】
「緯度」及び「経度」を設定地に関する座標情報として使用するナビゲーション装置であって、「緯度」及び「経度」の少なくとも「度」及び「分」の値を数字で表示するための意匠を有する表示装置と、この表示装置の前記意匠を用いて前記値を設定する入力装置と、前記設定地に関する前記座標情報を記憶する記憶装置と、前記入力装置の操作により前記表示装置の前記意匠の「度」の表示が所定の値に入力された場合に前記表示装置の前記意匠の「分」の表示が予め定めた値へ自動的に変化して前記入力装置により前記表示装置の前記意匠の「度」の表示が前記所定の値に確定されると前記表示装置の前記意匠の「分」の表示が前記予め定めた値で確定して前記各値を前記設定地に関する前記座標情報として前記記憶装置に記憶させる制御装置と、を有することを特徴とするナビゲーション装置。
【請求項３】
前記所定の値は、「緯度」にあっては「９０」及び「経度」にあっては「１８０」であり、前記予め定めた値は、「緯度」及び「経度」共に「００」であることを特徴とする請求項１又は請求項２に記載のナビゲーション装置。
【請求項４】
「緯度」及び「経度」を設定地に関する座標情報として使用するナビゲーション装置であって、「緯度」及び「経度」の少なくとも「度」及び「分」の値を数字で表示するための意匠を有する表示装置と、この表示装置の前記意匠を用いて前記値を設定する入力装置と、前記設定地に関する前記座標情報を記憶する記憶装置と、前記入力装置の操作により前記表示装置の前記意匠の「度」の表示が最下位桁の値が「０」である所定の値に入力又は確定された場合に前記表示装置の前記意匠の「分」の表示を「００」へ自動的に変化させて前記入力装置により所望する値で確定されると前記各値を前記設定地に関する前記座標情報として前記記憶装置に記憶させる制御装置と、を有することを特徴とするナビゲーション装置。
【請求項５】
「緯度」及び「経度」を設定地に関する座標情報として使用するナビゲーション装置であって、移動体の現在位置を測定する位置測定装置と、前記設定地を設定する入力装置と、前記設定地に関する前記座標情報を記憶する記憶装置と、方位信号に応じて方位を表示する方位表示領域及び移動距離と「緯度」及び「経度」の少なくとも「度」及び「分」の値を数字で表示する距離表示領域を有する表示装置と、前記位置測定装置及び前記入力装置からの信号に基づき前記設定地の前記方位を求めて前記方位信号を出力すると共に前記現在位置と前記設定地との距離を演算して距離信号を出力し及び前記入力装置の操作により前記表示装置における「度」の表示が所定の値に入力又は確定された場合に前記表示装置における「分」の表示が予め定めた値へ自動的に変化して前記入力装置により前記表示装置における「度」の表示が前記所定の値に確定されると前記表示装置における「分」の表示が前記予め定めた値で確定して前記各値を前記設定地に関する前記座標情報として前記記憶装置に記憶させる制御装置と、から成ることを特徴とするナビゲーション装置。
【請求項６】
「緯度」及び「経度」を設定地に関する座標情報として使用するナビゲーション装置であって、移動体の現在位置を測定する位置測定装置と、前記設定地を設定する入力装置と、前記設定地に関する前記座標情報を記憶する記憶装置と、先端で構成される外縁が円形又は円弧を形成するように放射状に配置された複数の方位指示パターンを有して前記方位信号に応じて前記方位を表示する方位表示領域及び移動距離と「緯度」及び「経度」の少なくとも「度」及び「分」の値を数字で表示する距離表示領域を有する表示装置と、前記位置測定装置及び前記入力装置からの信号に基づき前記設定地の方位を求めて方位信号を出力すると共に前記現在位置と前記設定地との距離を演算して距離信号を出力し及び前記入力装置の操作により前記表示装置における「度」の表示が所定の値に入力又は確定された場合に前記表示装置における「分」の表示が予め定めた値へ自動的に変化して前記入力装置により前記表示装置における「度」の表示が前記所定の値に確定されると前記表示装置における「分」の表示が前記予め定めた値で確定して前記各値を前記設定地に関する前記座標情報として前記記憶装置に記憶させる制御装置と、から成ることを特徴とするナビゲーション装置。
【請求項７】
前記表示装置は、前記距離表示領域において「緯度」の「度」及び「分」を表示している場合に前記方位表示領域が「緯度」の「北緯」又は「南緯」を示すための表示を行い、前記距離表示領域において「経度」の「度」及び「分」を表示している場合に前記方位表示領域が「経度」の「東経」又は「西経」を示すための表示を行う意匠を有することを特徴とする請求項５又は請求項６に記載のナビゲーション装置。
【発明の詳細な説明】
【０００１】
【発明の属する技術分野】
本発明は、使用者が携帯したり、移動体例えば車両に搭載して使用されるナビゲーション装置に関する。
【０００２】
【従来の技術】
例えば特開平８−１６９９２号公報には、進路情報表示装置として車両に搭載されるナビゲーション装置が開示されている。
【０００３】
これは、図１５で示すように、ＧＰＳ衛星からの電波を受信して現在地の位置データを出力する受信装置（位置測定装置）１と、ＣＤ−ＲＯＭ等の地図情報記憶媒体２から地図データを読み取る読み取り装置３と、前記地図データを格納するバッファメモリ４と、後述する描画図形の基礎となる画像データを記憶している表示用画像メモリ５と、表示用画像メモリ５の画像データを用いて前記地図データに応じた描画図形をＣＲＴやＬＣＤ等の表示装置６で表示させるための表示コントローラ７と、これらシステム全体を制御するマイコン等の制御装置８とを有し、現在位置の変化に応じて表示用画像メモリ５の内容が更新されて、これに応じて表示装置６での表示も変化するようになっている。なお、制御装置８には、運転者等の使用者が出発地と目的地を設定したり、走行データを記録する等の各種操作を可能とするキーボード等の入力装置９が接続されている。
【０００４】
また、特開平８−５７２１号公報には、他のバッファメモリ４ａを用意して、バッファメモリ４とは異なる地図データを複写することにより、例えば前方に近づいてきた交差点等の進路選択地点を表示装置６で詳細（例えば、拡大）表示して進行方向を指示するものもある。
【０００５】
【発明が解決しようとする課題】
この種のナビゲーション装置において、任意の地点を設定地として設定するには、上述したように、地図上で探して設定する構成（前者）の他、特開平１１−２５７９８８号公報で開示されているように、雑誌，テレビ，インターネット・サイト等の各種メディアで紹介されている地球上の座標情報である「緯度」及び「経度」の値を入力して設定する構成（後者）がある。
【０００６】
前者は、前記設定地の場所を知っている場合には有効であるが、前記座標情報のみしか持ち得ていない場合には後者を用いることになる。
【０００７】
本発明は、前記座標情報を用いて前記設定地の設定を行う際の操作の容易性を実現するナビゲーション装置の提供を目的とする。
【０００８】
また、前記座標情報を表示する場合、「緯度」を表示するためには、「北緯」又は「南緯」を表す意匠と、少なくとも「度」の値を表す２桁の数字及び「分」の値を表す２桁の数字から成る意匠とを用意する必要があり、「経度」を表示するためには、「東経」又は「西経」を表す意匠と、少なくとも「度」の値を表す３桁の数字及び「分」の値を表す２桁の数字から成る意匠とを用意する必要がある。
【０００９】
斯かる意匠の全てを同一の表示装置６の表示面積の中に用意することは、各前記意匠の一つ当たりの大きさが制限を受けて小さなものとなりやすく、視認性に劣ることになりやすい。反対に、各前記意匠の一つ当たりの大きさが視認性を考慮して十分な大きさに設定されることは、前記表示面積における前記座標情報用の割合を増加させて、他の表示へ制約を与えることになり好ましくない。
【００１０】
本発明は、前記座標情報を表示する際に他の表示に供される意匠を共用して使用することにより、前記座標情報の表示に供される前記意匠の割合を抑えつつ、前記意匠の良好な視認性を確保することが可能なナビゲーション装置の提供を目的とする。
【００１１】
【課題を解決するための手段】
前記課題を解決するため、本発明のナビゲーション装置は、請求項１に記載のように、「緯度」及び「経度」を設定地に関する座標情報として使用するナビゲーション装置であって、「緯度」及び「経度」の少なくとも「度」及び「分」の値を数字で表示するための意匠を有する表示装置と、この表示装置の前記意匠を用いて前記値を設定する入力装置と、前記設定地に関する前記座標情報を記憶する記憶装置と、前記入力装置の操作により前記表示装置の前記意匠の「度」の表示が所定の値に確定された場合に前記表示装置の前記意匠の「分」の表示が予め定めた値へ自動的に変化して前記入力装置により前記表示装置の前記意匠の「度」の表示が前記所定の値に確定されると前記表示装置の前記意匠の「分」の表示が前記予め定めた値で確定して前記各値を前記設定地に関する前記座標情報として前記記憶装置に記憶させる制御装置と、を有することを特徴とする。
【００１２】
また、請求項２に記載のように、「緯度」及び「経度」を設定地に関する座標情報として使用するナビゲーション装置であって、「緯度」及び「経度」の少なくとも「度」及び「分」の値を数字で表示するための意匠を有する表示装置と、この表示装置の前記意匠を用いて前記値を設定する入力装置と、前記設定地に関する前記座標情報を記憶する記憶装置と、前記入力装置の操作により前記表示装置の前記意匠の「度」の表示が所定の値に入力された場合に前記表示装置の前記意匠の「分」の表示が予め定めた値へ自動的に変化して前記入力装置により前記表示装置の前記意匠の「度」の表示が前記所定の値に確定されると前記表示装置の前記意匠の「分」の表示が前記予め定めた値で確定して前記各値を前記設定地に関する前記座標情報として前記記憶装置に記憶させる制御装置と、を有することを特徴とする。
【００１３】
特に、請求項１又は請求項２において請求項３に記載のように、前記所定の値は、「緯度」にあっては「９０」及び「経度」にあっては「１８０」であり、前記予め定めた値は、「緯度」及び「経度」共に「００」であることを特徴とする。
【００１４】
また、請求項４に記載のように、「緯度」及び「経度」を設定地に関する座標情報として使用するナビゲーション装置であって、「緯度」及び「経度」の少なくとも「度」及び「分」の値を数字で表示するための意匠を有する表示装置と、この表示装置の前記意匠を用いて前記値を設定する入力装置と、前記設定地に関する前記座標情報を記憶する記憶装置と、前記入力装置の操作により前記表示装置の前記意匠の「度」の表示が最下位桁の値が「０」である所定の値に入力又は確定された場合に前記表示装置の前記意匠の「分」の表示を「００」へ自動的に変化させて前記入力装置により所望する値で確定されると前記各値を前記設定地に関する前記座標情報として前記記憶装置に記憶させる制御装置と、を有することを特徴とする。
【００１５】
また、請求項５に記載のように、「緯度」及び「経度」を設定地に関する座標情報として使用するナビゲーション装置であって、移動体の現在位置を測定する位置測定装置と、前記設定地を設定する入力装置と、前記設定地に関する前記座標情報を記憶する記憶装置と、方位信号に応じて方位を表示する方位表示領域及び移動距離と「緯度」及び「経度」の少なくとも「度」及び「分」の値を数字で表示する距離表示領域を有する表示装置と、前記位置測定装置及び前記入力装置からの信号に基づき前記設定地の前記方位を求めて前記方位信号を出力すると共に前記現在位置と前記設定地との距離を演算して距離信号を出力し及び前記入力装置の操作により前記表示装置における「度」の表示が所定の値に入力又は確定された場合に前記表示装置における「分」の表示が予め定めた値へ自動的に変化して前記入力装置により前記表示装置における「度」の表示が前記所定の値に確定されると前記表示装置における「分」の表示が前記予め定めた値で確定して前記各値を前記設定地に関する前記座標情報として前記記憶装置に記憶させる制御装置と、から成ることを特徴とする。
【００１６】
また、請求項６に記載のように、「緯度」及び「経度」を設定地に関する座標情報として使用するナビゲーション装置であって、移動体の現在位置を測定する位置測定装置と、前記設定地を設定する入力装置と、前記設定地に関する前記座標情報を記憶する記憶装置と、先端で構成される外縁が円形又は円弧を形成するように放射状に配置された複数の方位指示パターンを有して前記方位信号に応じて前記方位を表示する方位表示領域及び移動距離と「緯度」及び「経度」の少なくとも「度」及び「分」の値を数字で表示する距離表示領域を有する表示装置と、前記位置測定装置及び前記入力装置からの信号に基づき前記設定地の方位を求めて方位信号を出力すると共に前記現在位置と前記設定地との距離を演算して距離信号を出力し及び前記入力装置の操作により前記表示装置における「度」の表示が所定の値に入力又は確定された場合に前記表示装置における「分」の表示が予め定めた値へ自動的に変化して前記入力装置により前記表示装置における「度」の表示が前記所定の値に確定されると前記表示装置における「分」の表示が前記予め定めた値で確定して前記各値を前記設定地に関する前記座標情報として前記記憶装置に記憶させる制御装置と、から成ることを特徴とする。
【００１７】
特に、請求項５又は請求項６において請求項７に記載のように、前記表示装置は、前記距離表示領域において「緯度」の「度」及び「分」を表示している場合に前記方位表示領域が「緯度」の「北緯」又は「南緯」を示すための表示を行い、前記距離表示領域において「経度」の「度」及び「分」を表示している場合に前記方位表示領域が「経度」の「東経」又は「西経」を示すための表示を行う意匠を有することを特徴とする。
【００１８】
【発明の実施の形態】
本発明について、図１から図１４で示す実施の形態に基づき説明するが、以下では主として本発明に係る特徴個所について説明するものとして、前記従来の技術と同一もしくは相当個所については、前記従来の技術及び図１５と同一符号を付してそれらの説明を省く。
【００１９】
本実施の形態の表示装置６は、使用者による入力手段９の操作により、図１で示すように、方位表示領域１００，速度表示領域２００及び距離表示領域３００の各意匠を有する表示形態や、図示しないが、地図上に前記現在位置や前記設定地等を示す表示形態等を表示することができるようにドットマトリクス型の液晶表示素子から構成されている。
【００２０】
アナログ式の方位表示領域１００は、受信装置１からの信号に基づいて現在位置に応じた進行方向である第１の方位及び／又はこの信号による前記現在位置と入力装置９で設定した設定地（例えば、目標地）とから前記設定地の方向である第２の方位を表示するための等間隔で放射状に広がる複数の矢印形状の方位指示パターン１０１と、方位指示１０１の間に位置して分割した方位に対応して複数の三角を環状に配置した補助指示パターン１０２と、頂上部に位置して方位の「北」を示すＮ文字パターン１０３とから構成されており、方位指示パターン１０１は、方位の分割数に比例して設けられるもので、この実施の形態では、方位を１６分割しているので１６個あって、前記第１、第２の方位を表示するために選択的に表示状態となる。補助指示パターン１０２は、方位指示パターン１０１の間に位置して設けられるように１６個あって、方位指示パターン１０１で指示する方位の反対側の方位指示パターン１０１の両側に位置するものだけ表示状態となる。Ｎ文字パターン１０３は、方位の「北」を真上するノースアップ（North Up）表示モードでは表示状態となるが、例えば進行方向を真上とするウエーアップ（Way Up）表示モードでは非表示状態となり、これらの表示モードの変更は、入力装置９により行われる。
【００２１】
デジタル式の速度表示領域２００は、日の字状に配置した７個のセグメントで数字「０」〜「９」を表示する２つのデジタル表示用パターン２０１，２０２と、単位記号「km/h」を表示するキロ単位表示用パターン２０３と、キロ単位表示用パターン２０３とは排他的に表示されて単位記号「mile/h」を表示するマイル単位表示用パターン２０４と、から構成されている。
【００２２】
デジタル式の距離表示領域３００は、日の字状に配置した７個のセグメントで数字「０」〜「９」を表示する７つのデジタル表示用パターン３０１〜３０７と、単位記号「km」を表示するキロ単位表示用パターン３０８と、キロ単位表示用パターン３０８とは排他的に表示されて単位記号「mile」を表示するマイル単位表示用パターン３０９と、距離表示領域３００が走行距離計（Odometer）であることを示すための「ODO」を表示するオドパターン３１０と、オドパターン３１０とは排他的に表示されて距離表示領域３００が区間距離計（Tripmeter）であることを示すための「TRIP」を表示するトリップパターン３１１と、オドパターン３１０及びトリップパターン３１１とは排他的に表示されて距離表示領域３００で前記設定地に関する情報を表示していることを示すための「WP」を表示するウエーポイントパターン３１２と、ウエーポイントパターン３１２の表示時に表示されて距離表示領域３００で緯度（Latitude）を表示していることを示すための「LAT」を表示する緯度パターン３１３と、オドパターン３１０，トリップパターン３１１及び緯度パターン３１３とは排他的に表示されて距離表示領域３００で経度（Longitude）を表示していることを示すための「LON」を表示する経度パターン３１４と、緯度パターン３１３又は経度パターン３１４と同時に表示されて、デジタル表示用パターン３０１〜３０７の上位３桁が「度（°）」の値であることを示すための度パターン３１５と、デジタル表示用パターン３０１〜３０７の中位２桁が「分（’）」の値であることを示すための分パターン３１６と、デジタル表示用パターン３０１〜３０７の下位２桁が「秒（”）」の値であることを示すための秒パターン３１７とから構成されている。
【００２３】
入力装置９は、表示装置６の前記表示形態や前記表示モードを切り替えたり（切替）、表示装置６で確認しながら前記設定地を記憶装置４で記憶させる（設定）等の機能を有するもので、図２では、前記切替や前記設定を選択するモード選択スイッチ４０１と、モード選択スイッチ４０１で前記設定が選択された際に、方位表示領域１００，速度表示領域２００及び距離表示領域３００の何れかにおいて項目や値を制御装置８に予め定めたプログラムに従い変化させるためのインクリメントスイッチ４０２及びデクリメントスイッチ４０３と、変化させた前記項目や前記値を確定させるセットスイッチ４０４と、を有している。
【００２４】
記憶装置４は、随時前記使用者の意思により入力装置９を操作する毎にその地点を前記設定地として記憶し、記憶を解除しない限り前記使用者は希望すれば何度でも前記設定地を呼び出して利用することができる記憶領域を有しており、この記憶する前記設定地の数は任意であって、例えば１０地点を記憶する場合には、１０個のチャンネルを有しいる。なお、入力装置９の前記操作に応じて前記チャンネルを表示装置６で表示しても良いが、この実施の形態では省略している。
【００２５】
次に、この実施の形態における具体的な使用例について説明する。
【００２６】
前記使用者が入力装置９を用いてルート設定を行い走行すると、制御装置８は、受信装置１からの信号に基づいて前記現在位置に応じた進行方向である第１の方位を求め、また、この信号による前記現在位置と入力装置９で設定した前記目的地とから前記目的地の方向である第２の方位を求め、これらの方位を制御装置８の前記プログラムや入力装置９で設定した一定のタイミングで更新し、最新方位情報を信号として出力する。
【００２７】
通常時においては、図３で示すように、表示装置６は、制御装置８からの前記信号により、方位表示領域１００では進行方向を表示し、速度表示領域２００では走行速度を表示し、距離表示領域３００ではオドメータ又はトリップメータとしての表示を行う。
【００２８】
前記使用者は、予め又は任意の地点においてその地点を前記設定地として覚えておきたいと望む時に、入力装置９を操作して受信装置１からの情報に基づき、その地点の位置データを記憶装置４のチャンネルに記憶させ、この設定地を前記目的地として用いる。そして、前記使用者は、入力装置９を操作することにより、記憶装置４のチャンネルを選択して前記設定地の何れかを呼び出すことにより前記目的地とする。
【００２９】
この状態では、図４で示すように、表示装置６は、制御装置８からの前記信号により、方位表示領域１００では、例えばノースアップ表示モードで第１，第２の方位を同時に表示する。この際、第１の方位と第２の方位とを識別できるように、前者に比べて後者の矢印が短くなっている。同図において、符号Ａで示しているのが表示状態にある第１の方位であり、「北東」を指示している。また、符号Ｂで示しているのが表示状態にある第２の方位であり、「北北西」を指示している。なお、方位表示領域１００の前記表示モードを入力装置９の操作により選択できることは前述した通りである。
【００３０】
前記設定値（前記目的地）を地球上の座標情報である「緯度」及び「経度」を直接入力して設定する場合、前記使用者が入力装置９のモード選択スイッチ４０１を操作する。モード選択スイッチ４０１の操作により、前記切替や前記設定を行うことを前述したが、前記設定地の設定は、前記設定の一部である。
【００３１】
モード選択スイッチ４０１の操作、例えば押圧操作により、前記設定を行うように制御装置８へ指示を送る。なお、前記設定が可能であることを表示装置６の表示で前記使用者へ知らせるために、モード選択スイッチ４０１の操作に応じて表示装置６の表示を変化させるが、例えば前記設定が可能であることをウエーポイントパターン３１２の点滅で知らせる。
【００３２】
モード選択スイッチ４０１の操作により前記設定が可能となると、表示装置６は、「緯度」の設定が可能であることを緯度パターン３１３の点滅により知らせる。この際、デジタル表示用パターン３０２〜３０７（緯度の値は最大で９０度なので、最上位桁であるデジタル表示用パターン３０１は非表示状態として使用しない。「緯度」及び「経度」とも「度」の値が１桁又は２桁の場合には、その上位桁は非表示状態として数値「０」を表示しない。）は、現在位置の「緯度」の値を表示したり又は過去に設定した前記設定地を修正する場合にはその設定地の「緯度」の値を表示している（図５参照）。
【００３３】
「緯度」の設定を行う場合には、入力装置９のセットスイッチ４０４を操作、例えば押圧操作により、緯度パターン３１３が点灯状態となり、次に、「北緯」か「南緯」かの選択を促すため、方位表示領域１００が点滅する（図６参照）。「経度」の設定を行う場合には、緯度パターン３１３が点滅状態の際にモード選択スイッチ４０１，インクリメントスイッチ４０２又はデクリメントスイッチ４０３の何れかを操作、例えば押圧操作して経度パターン３１４を点滅させて行うが、これについては後述する。アナログ方位表示領域１００が点滅状態の際に前記使用者が入力装置９のインクリメントスイッチ４０２又はデクリメントスイッチ４０３を操作する毎に、方位表示領域１００の表示が北を指したり（前者）、南を指し（後者）、「北緯」の設定であれば前者、「南緯」の設定であれば後者の際にセットスイッチ４０４を操作することで「北緯」又は「南緯」の設定が確定して方位表示領域１００は点灯状態になる。
【００３４】
この後、「緯度」の値は、「度」の値を示すデジタル表示用パターン３０２〜３０３が点滅状態（図７参照）の際に、インクリメントスイッチ４０２又はデクリメントスイッチ４０３を操作して数値を入力した後セットスイッチ４０４を操作して確定し、「分」の値を示すデジタル表示用パターン３０４〜３０５が点滅状態の際に、インクリメントスイッチ４０２又はデクリメントスイッチ４０３を操作して数値を入力した後セットスイッチ４０４を操作して確定し、「秒」の値を示すデジタル表示用パターン３０６〜３０７が点滅状態の際に、インクリメントスイッチ４０２又はデクリメントスイッチ４０３を操作して数値を入力した後セットスイッチ４０４を操作して確定することで、「度」，「分」，「秒」の値を示すデジタル表示用パターン３０２〜３０３，３０４〜３０５，３０６〜３０７は順次点灯状態となり、緯度の設定が完了する。
【００３５】
また、「経度」の設定は、前述した「緯度」の設定途中における経度パターン３１４が点滅状態の際又は「緯度」の設定が完了した後に「経度」の設定が可能であることを示す経度パターン３１４が点滅状態の際に以下の操作を行うが、この際、デジタル表示用パターン３０１〜３０７は、現在位置の「経度」の値を表示したり又は過去に設定した前記設定地を修正する場合にはその設定地の「経度」の値を表示している（図８参照）。
【００３６】
「経度」の設定を行う場合には、入力装置９のセットスイッチ４０４を操作し、これにより、経度パターン３１４が点灯状態となり、次に、「東経」か「西経」かの選択を促すため、方位表示領域１００が点滅する（図９参照）。方位表示領域１００が点滅状態の際に前記使用者が入力装置９のインクリメントスイッチ４０２又はデクリメントスイッチ４０３を操作する毎に、方位表示領域１００の表示が東を指したり（前者）、西を指し（後者）、「東経」の設定であれば前者、「西経」の設定であれば後者の際にセットスイッチ４０４を操作することで「東経」又は「西経」の設定が確定して方位表示領域１００は点灯状態になる。
【００３７】
この後、「経度」の値は、「度」の値を示すデジタル表示用パターン３０１〜３０３が点滅状態（図１０参照）の際に、インクリメントスイッチ４０２又はデクリメントスイッチ４０３を操作して数値を入力した後セットスイッチ４０４を操作して確定し、「分」の値を示すデジタル表示用パターン３０４〜３０５が点滅状態の際に、インクリメントスイッチ４０２又はデクリメントスイッチ４０３を操作して数値を入力した後セットスイッチ４０４を操作して確定し、「秒」の値を示すデジタル表示用パターン３０６〜３０７が点滅状態の際に、インクリメントスイッチ４０２又はデクリメントスイッチ４０３を操作して数値を入力した後セットスイッチ４０４を操作して確定することで、「度」，「分」，「秒」の値を示すデジタル表示用パターン３０１〜３０３，３０４〜３０５，３０６〜３０７は順次点灯状態となり、「経度」の設定が完了する。
【００３８】
ところで、「緯度」の値の上限は「北緯」及び「南緯」とも９０度であり、この値を「度」の値を示すデジタル表示用パターン３０２〜３０３が点滅状態の際に入力装置９のインクリメントスイッチ４０２又はデクリメントスイッチ４０３を操作して確定すると、その瞬間、「分」の値を示すデジタル表示用パターン３０４〜３０５と「秒」の値を示すデジタル表示用パターン３０６〜３０７には何らかの値が表示されているため（図１１参照）、これを何れも「００」に変更するための操作を行わなければならないが、この実施の形態では、「度」の値を示すデジタル表示用パターン３０２〜３０３が点滅状態の際に、インクリメントスイッチ４０２又はデクリメントスイッチ４０３を操作して数値「９０」を入力した後セットスイッチ４０４を操作して確定すると、「分」の値を示すデジタル表示用パターン３０４〜３０５と「秒」の値を示すデジタル表示用パターン３０６〜３０７は自動的に変化して数値「００」を表示すると共に確定するもので、すなわち「度」の値を示すデジタル表示用パターン３０２〜３０３での表示が所定の値である数値「９０」で確定すると同時に「分」の値を示すデジタル表示用パターン３０４〜３０５と「秒」の値を示すデジタル表示用パターン３０６〜３０７は予め定めた値である数値「００」で確定して（図１２参照）、それ以降の変更を不能にすると共に「緯度」の設定が完了し、「分」及び「秒」の入力及び確定を省略できる。
【００３９】
また、「経度」の値の上限は「東経」及び「西経」とも１８０度であり、この値を「度」の値を示すデジタル表示用パターン３０１〜３０３が点滅状態の際に入力装置９のインクリメントスイッチ４０２又はデクリメントスイッチ４０３を操作して確定すると、その瞬間、「分」の値を示すデジタル表示用パターン３０４〜３０５と「秒」の値を示すデジタル表示用パターン３０６〜３０７には何らかの値が表示されているため（図１３参照）、これを何れも「００」に変更するための操作を行わなければならないが、この実施の形態では、「度」の値を示すデジタル表示用パターン３０１〜３０３が点滅状態の際に、インクリメントスイッチ４０２又はデクリメントスイッチ４０３を操作して数値「１８０」を入力した後セットスイッチ４０４を操作して確定すると、「分」の値を示すデジタル表示用パターン３０４〜３０５と「秒」の値を示すデジタル表示用パターン３０６〜３０７は自動的に変化して数値「００」を表示すると共に確定するもので、すなわち「度」の値を示すデジタル表示用パターン３０１〜３０３での表示が所定の値である数値「１８０」で確定すると同時に「分」の値を示すデジタル表示用パターン３０４〜３０５と「秒」の値を示すデジタル表示用パターン３０６〜３０７は予め定めた値である数値「００」で確定して（図１４参照）、それ以降の変更を不能にすると共に「経度」の設定が完了し、「分」及び「秒」の入力及び確定を省略できる。
【００４０】
このように、「緯度」であれば「９０」度、「経度」であれば「１８０」度を越える数値の入力を制限することにより、前記座標情報を用いて前記設定地の設定を行う際の操作の容易性を実現することができる。
【００４１】
また、前記座標情報の数値を表示する際に使用される意匠として、走行距離計や区間距離計の距離を表示する際に使用されるデジタル表示用パターン３０１〜３０７から成る意匠を共用し、また、「緯度」の「北緯」と「南緯」、「経度」の「東経」と「西経」を表示する意匠として、方位表示領域１００から成る意匠を共用することにより、前記座標情報の表示に供される前記意匠の割合を抑えつつ、前記意匠の良好な視認性を確保することができる。
【００４２】
なお、前述した実施の形態では、「緯度」，「経度」の各設定とも、入力装置９のセットスイッチ４０４の操作により「度」の値を示すデジタル表示用パターン３０１〜３０３での表示が所定の値である数値「９０」，「１８０」で確定すると、「分」の値を示すデジタル表示用パターン３０４〜３０５と「秒」の値を示すデジタル表示用パターン３０６〜３０７とが自動的に変化して予め定めた値である数値「００」で確定する構成について説明したが、セットスイッチ４０４を操作して確定する以前である入力の時点、すなわち「度」の値を示すデジタル表示用パターン３０１〜３０３での表示が入力装置９のインクリメントスイッチ４０２又はデクリメントスイッチ４０３の操作により所定の値である数値「９０」，「１８０」に変化した時点で、「分」の値を示すデジタル表示用パターン３０４〜３０５と「秒」の値を示すデジタル表示用パターン３０６〜３０７とを自動的に変化させて予め定めた値である数値「００」を表示させ、セットスイッチ４０４を操作して「度」を確定すると同時に「分」「秒」の値が確定する構成としても良く、「分」及び「秒」の入力及び確定を省略できる。
【００４３】
また、所定の値として「緯度」は「９０」、「経度」は「１８０」を用いたが、「緯度」及び「経度」共に「度」の最下位桁の値が「０」を前記所定の値として、この値に入力又は確定した時点で「分」や「秒」の値を「００」へ自動的に変化させた後に入力装置９により所望する値（この所望する値とは、変化後の「００」又は前記使用者が希望する値である）としても良い。この場合には、前記の作用に加えて、「度」が「１０」単位で「分」や「秒」が「００」となり、前記使用者に区切りを意識させることができる。
【００４４】
また、「緯度」及び「経度」の「秒」の値は、小数点以下１桁を付加した３桁であっても良い。これを前記実施の形態で実現するには、デジタル表示用パターン３０７の次にもう一つ同様なデジタル表示用パターンを追加することになる。
【００４５】
また、「緯度」及び「経度」の「秒」の値を使用しない簡易型のナビゲーション装置とすることも可能であり、これを前記実施の形態で実現するには、「秒」の値を示すデジタル表示用パターン３０６〜３０７を共用しないことになる。
【００４６】
また、「緯度」の「北緯」と「南緯」、「経度」の「東経」と「西経」を表示する意匠として、先端で構成される外縁が円形又は円弧を形成するように放射状に配置された複数の方位指示パターン１０１を有するアナログ式の方位表示領域１００の代わりに、文字で方位を示す方位表示領域を用いることもできるが、アナログ式の方位表示領域１００の方が直感的に認識しやすい傾向にある。
【００４７】
なお、本発明は、前記実施形態に限定されるものではなく、例えば表示手段６を多数のドットの組み合わせによる表示が可能なマルチカラータイプの液晶表示素子にて構成すれば、見栄えの向上に寄与するものとなる。
【００４８】
また、任意の地点を地球上の座標情報である「緯度」及び「経度」の値を入力して設定する構成のみであって、地図上で探し設定地として設定する構成を有さないナビゲーション装置であっては、地図情報記憶媒体２やこれから地図データを読み取る読み取り装置３（何れも図１５参照）等を省くことができ、構成の簡素化に寄与するものとなる。
【００４９】
【発明の効果】
この発明は、任意の地点である設定地を地球上の座標情報である「緯度」及び「経度」を用いて設定するナビゲーション装置において、例えば「緯度」であれば「９０」度、「経度」であれば「１８０」度を越える数値の入力を制限することにより、前記座標情報を用いて前記設定地の設定を行う際の操作の容易性を実現することができ、利便性の高いナビゲーション装置を提供することができる。
【００５０】
また、前記座標情報を表示する際に使用される意匠として、他の表示に供される意匠と共用することにより、前記座標情報の表示に供される前記意匠の割合を抑えつつ、前記意匠の良好な視認性を確保することができ、視認性の高いナビゲーション装置を提供することができる。
【図面の簡単な説明】
【図１】  本発明の実施の形態に係る表示装置を説明する平面図。
【図２】  同上の入力装置を説明する平面図。
【図３】  同上の表示装置の表示例を説明する平面図。
【図４】  同上の表示装置の他の表示例を説明する平面図。
【図５】  同上の表示装置の緯度の設定を説明する平面図。
【図６】  同上の表示装置の緯度の設定を説明する平面図。
【図７】  同上の表示装置の緯度の設定を説明する平面図。
【図８】  同上の表示装置の経度の設定を説明する平面図。
【図９】  同上の表示装置の経度の設定を説明する平面図。
【図１０】  同上の表示装置の経度の設定を説明する平面図。
【図１１】  同上の表示装置の緯度の設定を説明する平面図。
【図１２】  同上の表示装置の緯度の設定を説明する平面図。
【図１３】  同上の表示装置の経度の設定を説明する平面図。
【図１４】  同上の表示装置の経度の設定を説明する平面図。
【図１５】  ナビゲーション装置の構成を説明するブロック図。
【符号の説明】
４  記憶装置
６  表示装置
８  制御装置
９  入力装置
１００  方位表示領域
２００  速度表示領域
３００  距離表示領域
【図１】
0004116768.tif 000002
【図２】
0004116768.tif 000003
【図３】
0004116768.tif 000004
【図４】
0004116768.tif 000005
【図５】
0004116768.tif 000006
【図６】
0004116768.tif 000007
【図７】
0004116768.tif 000008
【図８】
0004116768.tif 000009
【図９】
0004116768.tif 000010
【図１０】
0004116768.tif 000011
【図１１】
0004116768.tif 000012
【図１２】
0004116768.tif 000013
【図１３】
0004116768.tif 000014
【図１４】
0004116768.tif 000015
【図１５】
0004116768.tif 000016